(57)【要約】【課題】従来の卓上カレンダーで用いていた樹脂製環状綴じ具を不要となして製造コストを軽減し、製造業者における利益率の大幅な向上を図る。【解決手段】カレンダー紙葉６，６，６・・・の上辺に所要の長さの綴じ部８を一体的に連成することにより、カレンダー紙葉６，６，６・・・の上辺に綴じ部８を延設する。該綴じ部８を重ねて束ねた状態において紙製スタンド２の頂部に綴じ込む。これにより所定枚数のカレンダー紙葉６，６，６・・・を紙製スタンド２の前面に手めくり可能に配する。【選択図】図１
0003153487.tif 000002
【実用新案登録請求の範囲】
【請求項１】
カレンダー紙葉の上辺に綴じ部を延設し、該綴じ部を重ねて束ねた状態において紙製スタンドの頂部に綴じ込み、所定枚数のカレンダー紙葉を紙製スタンドの前面に配してなることを特徴とする卓上スタンド。
【請求項２】
カレンダー紙葉の上辺に所要の長さの綴じ部を一体的に連成することにより、カレンダー紙葉の上辺に綴じ部を延設してなる請求項１記載の卓上カレンダー。
【請求項３】
カレンダー紙葉の上辺に所要の長さ及び幅の綴じ部を貼着することにより、カレンダー紙葉の上辺に綴じ部を延設してなる請求項１記載の卓上カレンダー。
【考案の詳細な説明】
【技術分野】
【０００１】  本考案は卓上カレンダーに関するものである。
【背景技術】
【０００２】  卓上カレンダーは、一般的に特許文献１に示す如き形態のものが多い。図５には該特許文献１に示す卓上カレンダーを示しており、該卓上カレンダー１００は、厚紙を側断面三角形状に組み立てたスタンド部１０１の前面にカレンダー紙葉１０２，１０２，１０２・・・の束を重ね、これらスタンド部１０１とカレンダー紙葉１０２，１０２，１０２・・・の夫々の頂部に列設した綴じ穴１０３，１０３，１０３・・・に、樹脂製環状綴じ具１０４，１０４，１０４・・・を嵌め、もってスタンド部１０１の前面に手めくり可能にカレンダー紙葉１０２，１０２，１０２・・・を取り付けてなるものである。【０００３】  ところで、図示の如き卓上カレンダーは、宣伝広告用の所謂販促品として用いられることが多い。そして、斯かる場合には、現実的にこれを用いる注文者からカレンダー製造業者に対して厳しく低価格での提供を要求されることが多い。【０００４】  このような状況の中において、製造業者が困ることは、従来の卓上カレンダーが、上記の如く樹脂製環状綴じ具１０４を必要とし、そしてこれがこの種の製品の材料としては高価である上に、製品一個あたりにおいて用いる個数も多く、よって製品一個あたりのコストに占める割合が高過ぎることである。したがって、製造業者にとって、注文者から低価格での提供を要求されている中で、このように製造上における高コスト化が避けられなかったことが、利益を圧迫する大きな原因となっていた。
【先行技術文献】
【特許文献】
【０００５】
【特許文献１】実開平２−９９６７１号公報
【考案の概要】
【考案が解決しようとする課題】
【０００６】  本考案は上記の点に鑑みなされたものであって、従来の卓上カレンダーにおいて用いられていた樹脂製環状綴じ具を不要として製造コストを軽減し、もって製造業者における利益率の大幅な向上を図ることができるようになした卓上カレンダーを提供しようとするものである。
【課題を解決するための手段】
【０００７】  而して、本考案の要旨とするところは、カレンダー紙葉の上辺に綴じ部を延設し、該綴じ部を重ねて束ねた状態において紙製スタンドの頂部に綴じ込み、所定枚数のカレンダー紙葉を紙製スタンドの前面に配してなることを特徴とする卓上スタンドにある。【０００８】  また、上記構成において、カレンダー紙葉の上辺に綴じ部を延設する手段としては、カレンダー紙葉の上辺に所要の長さの綴じ部を一体的に連成するか、或いはカレンダー紙葉の上辺に所要の長さ及び幅の綴じ部を貼着することによって行うことが考えられる。
【考案の効果】
【０００９】  本考案は上記の如き構成であり、カレンダー紙葉の上辺に綴じ部を延設し、該綴じ部を重ねて束ねた状態において紙製スタンドの頂部に綴じ込み、所定枚数のカレンダー紙葉を紙製スタンドの前面に配してなるものであるから、従来の卓上カレンダーにおいて用いられていた樹脂製環状綴じ具を全く用いないものである。そして、このように樹脂製環状綴じ具を用いないことにより製造コストを大幅に軽減し、もって製造業者における利益率の大幅な向上を図ることができるものである。
【図面の簡単な説明】
【００１０】
【図１】本考案の第１実施形態に係る卓上カレンダーの斜視図である。
【図２】カレンダー紙葉の正面図である。
【図３】カレンダー紙葉の他の例の正面図である。
【図４】本考案の第２実施形態に係る卓上カレンダーの斜視図である。
【図５】従来の卓上カレンダーの斜視図である。
【考案を実施するための形態】
【００１１】    以下、本考案を実施するための形態について、図面を参照して説明する。
【００１２】  図１乃至図４において、１は本考案の第１実施形態に係る卓上カレンダーである。また、該卓上カレンダー１は、後記紙製スタンドとカレンダー紙葉とからなるものである。
【００１３】  ２は紙製スタンドである。また、該紙製スタンド２は、方形の前面板２Ａと後面板２Ｂにおける前面板２Ａの下端に、折目線３を介して底板２Ｃを連成すると共に該底板２Ｃの外縁に連結用差込片４を形成する一方、後面板２Ｂの下端部に、前記底板２Ｃの連結用差込片４を差し込む切込み５を設け、スタンド使用時に折目線３から底板２Ｃを内側に略直角に折り曲げ、その連結用差込片４を後面板２Ｂの切込み５に差し込んで立体的なスタンドとするものである。
【００１４】  ６，６，６・・・は方形のカレンダー紙葉であり、暦７とその他の任意の文字や図柄（図示せず。）を表示してなるものである。また、該カレンダー紙葉６，６，６・・・はその上辺に綴じ部８を延設してなるものである。また、本実施形態においては、斯かるカレンダー紙葉６，６，６・・・の上辺に綴じ部８を延設する手段として、図２に示す如く、カレンダー紙葉６，６，６・・・の上辺に所要の長さＬの綴じ部８を一体的に連成することによって行っている。また、斯かる手段に代えて、図３に示す如く、カレンダー紙葉６，６，６・・・の上辺に所要の長さＬ及び幅Ｗの綴じ部９を貼着することによって行うようにしても良い。
【００１５】  而して、上記カレンダー紙葉６，６，６・・・に延設した綴じ部８又は９を重ねた状態において紙製スタンド２の頂部に綴じ込み、所定枚数のカレンダー紙葉６，６，６・・・を紙製スタンド２の前面に手めくり可能に配するものである。尚、綴じ込みの方法については、接着その他適宜の手段をもって行えばよい。
【００１６】  次に、図４に示した本考案の第２実施形態について説明する。
本実施形態と前記第１実施形態との相違点は、紙製スタンドの構成にある。即ち、本実施形態における紙製スタンド２´は、方形の前面板２Ａ´と後面板２Ｂ´と、これらの下端部を連結する底板２Ｃ´とを折目線１０，１１を介して連成し、更に該底板２Ｃ´の幅方向の中央に折目線１２を設けてなるものである。そして、使用するときに折目線１２から畳んでいた底板２Ｃ´を伸ばして拡げるものである。尚、その他の構成については前記第１実施形態と同様であるから、同一の部材には同一の符号を付して詳細な説明は省略する。
【００１７】  上記実施形態は、カレンダー紙葉６，６，６・・・の上辺に綴じ部８又は９を延設し、該綴じ部８又は９を重ねて束ねた状態において紙製スタンド２の頂部に綴じ込んでなるものであるから、従来の卓上カレンダーにおいて用いられていた樹脂製環状綴じ具を全く用いないものである。そして、このように樹脂製環状綴じ具を用いないことにより製造コストを大幅に軽減し、もって製造業者における利益率の大幅な向上を図ることができるものである。
【符号の説明】
【００１８】１  卓上カレンダー
２  紙製スタンド
６，６，６  カレンダー紙葉
８，９  綴じ部
【図１】
0003153487.tif 000003
【図２】
0003153487.tif 000004
【図３】
0003153487.tif 000005
【図４】
0003153487.tif 000006
【図５】
0003153487.tif 000007